(57)【特許請求の範囲】
【請求項１】
排ガスを測定器に導入して該測定器からの測定データをパソコンに伝送し、前記測定データに基づいてパソコンのマイコンにおいて分析を行う排ガスの分析システムにおいて、
前記パソコンの表示装置に目的とする対象を求めるための演算式を表示すると共に、該演算式中の複数のパラメータの種類と当該パラメータの値とを表示し、
前記パソコンの入力操作装置によって、前記演算式とパラメータの値とを変更可能とし、
ここにおいて、前記排ガスの分析システムは、エンジンからの排ガスを分析する分析システムであって、前記パラメータには測定される測定値が含まれ、
測定モードでは前記パラメータとして測定値が測定され、一方、確認モードでは前記測定値を設定値として用いることで目的とする対象の演算を行えるようにした排ガスの分析システムにおける演算式作成システム。
【請求項２】
請求項１において、
前記パラメータの種類も、前記パソコンの入力操作装置によって変更可能とした排ガスの分析システムにおける演算式作成システム。
【請求項３】
請求項１において、
前記パソコンの表示装置は、前記演算式を表示すると共に入力するための演算式表示入力画面と、前記パラメータの種類と当該パラメータの値とを表示すると共に入力するためのパラメータ表示入力画面とを別の画面で表示する排ガスの分析システムにおける演算式作成システム。
【請求項４】
請求項１、２もしくは３において、
前記表示装置は、タッチスクリーンからなり、前記入力操作装置の一部を構成している排ガスの分析システムにおける演算式作成システム。
【発明の詳細な説明】
【０００１】
【発明の属する技術分野】
本発明は排ガスの分析システムにおける演算式作成システムに関するものである。
【０００２】
【従来の技術】
たとえばエンジンからの排ガスを分析する分析システムとして、排ガスを測定し、その測定データを出力する測定器と、当該測定データに基づいて所定の演算プログラムを用いて目的とする対象の算出を行うマイコンとを有する排ガスの分析システムが知られている。前記演算プログラムはプログラミング言語で作成されており、マイコンのＲＯＭに記憶されている。
【０００３】
【発明が解決しようとする課題】
しかし、かかる従来の分析システムでは、燃料の種類や測定対象等の変更によって、目的とする対象の演算式等を変更したい場合、演算プログラムがプログラミング言語で記述されているので、ユーザーは容易に変更することはできない。
【０００４】
したがって、本発明の目的は、かかる問題を解決する排ガスの分析システムにおける演算式作成システムを提供するものである。
【０００５】
【課題を解決するための手段】
前記目的を達成するために、本発明は、排ガスを測定器に導入して該測定器からの測定データをパソコンに伝送し、前記測定データに基づいてパソコンのマイコンにおいて分析を行う排ガスの分析システムにおいて、前記パソコンの表示装置に目的とする対象を求めるための演算式を表示すると共に、該演算式中の複数のパラメータの種類と当該パラメータの値とを表示し、前記パソコンの入力操作装置によって、前記演算式とパラメータの値とを変更可能としたものである。
【０００６】
なお、本発明において、「パラメータ」とは、演算式に含まれた媒介変数のことをいう。
【０００７】
【発明の実施の形態】
以下、本発明の一実施形態を図面にしたがって説明する。
図１において、自動車の排ガスの分析システムは、測定器１と図示しないインターフェイスを介して測定器１に接続されたパソコン（パーソナルコンピュータ）１１とを有している。前記測定器１は、たとえば赤外線分析計を備えており、測定器１内に排ガスを導入して測定した測定データをパソコン１１に出力する。
【０００８】
前記パソコン１１はマイコン１２を有していると共に、タッチスクリーン１６、キーボード１７、プリンタ１８および外部記憶装置１９が図示しないインターフェイスを介してマイコン１２に接続されている。マイコン１２は、ＣＰＵ１３、ＲＡＭ１４およびＲＯＭ１５を備えている。
【０００９】
外部記憶装置１９は、たとえばハードディスクからなり、ＯＳ（オペレーションシステム）の他に所定の演算プログラム、演算に用いる演算式および該演算式中のパラメータ等が記憶されている。ＣＰＵ１３は予め、外部記憶装置１９から所定の演算プログラムや演算式等を読み出してＲＡＭ１４に書き込み、測定器１から測定データを受け取ると、前記演算プログラム等に従って、排ガスの分析を行って、たとえば空燃比などの測定値を算出する。
【００１０】
タッチスクリーン１６は、分析中の画面および操作画面を表示すると共に、該表示の一部を指で触れることによって入力を行う装置である。したがって、タッチスクリーン１６は、パソコン１１の表示装置を構成すると共に、前記キーボード１７と共に入力操作装置の一部を構成している。
【００１１】
図２〜図５はタッチスクリーン１６の画面を示しており、図２および図３のパラメータ表示入力画面には、後述するモードの選択によって、図２の測定モードと図３の確認モードの２種類の画面がある。
【００１２】
図２の測定モードのパラメータ表示入力画面は、演算式名表示領域２ａ、測定値表示操作領域２ｂ、パラメータ表示操作領域２ｃおよび目的とする対象である空燃比表示操作領域２ｄなどの表示操作領域と、画面切換ボタン２２を備えている。演算式名表示領域２ａに表示された演算式名は、予め複数個設定登録されたもののうち１つが表示される。
【００１３】
前記パラメータ表示領域２ｃには、該演算式に用いるパラメータのパラメータ名２７およびパラメータ値ボタン２８が各々複数個表示されて設けられている。該パラメータは測定に用いる燃料の成分に関する値であり、燃料の種類が変わると、当該燃料の化学組成に応じて、当該パラメータの値を変更する必要がある。パラメータ値ボタン２８に触れた後、前記キーボード１７のテンキー等を操作して、当該パラメータ値ボタン２８に表示されたパラメータ値を変更することができる。
【００１４】
測定値表示領域２ｂには、複数の測定値名ボタン２５と、該測定値名ボタン２５に対応する測定値ボタン２６およびモード表示ボタン２１が表示されて設けられている。測定値名ボタン２５には、分析によって測定される測定値の名称が表示され、測定値名ボタン２５に触れることで、子ウィンドウが開いて測定値名が複数個表示され、該複数個の測定値名から測定したい測定値名を選択して変更することができる。測定値ボタン２６には、分析を行って測定された測定値が表示され、後述する確認モードを実行する際には、測定値ボタン２６に触れた後、前記キーボード１７のテンキー等を操作して、測定値ボタン２６に表示された測定値を設定することができる。モード表示ボタン２１は、これに触れることで、モード表示ボタン２１に表示された測定モード（「ｍｅａｓ」）および図３の確認モード（「ｓｅｔ  」）の２種類のモードを切り換えて表示することができる。
【００１５】
前記空燃比表示領域２ｄには、空燃比を表示する空燃比表示部２３とラムダ値を表示するラムダ値表示部２４が設けられている。空燃比は前記測定値に基づいて所定の演算式に従って算出された値であり、ラムダ値は、当該空燃比を所定の理想空燃比で除算した値である。
【００１６】
前記画面切換ボタン２２に触れると、図４に示す演算式表示入力画面が表示される。該演算式表示入力画面には、記憶ボタン３１、演算式名表示入力エリア３２および演算式表示入力エリア３０が表示されて設けられている。該演算式表示入力エリア３０には、前記演算式名に対応した演算式３４が表示される。該演算式３４は、プログラミング言語の書式ではなく、一般的な数式に近い形式で表示されており、キーボード１７等を操作して作成ないし変更できる。記憶ボタン３１は、これに触れることで前記外部記憶装置１９に当該演算式３４を記憶させることができる。なお、演算式名表示入力エリア３２に表示された演算式名は、キーボード１７等を操作して変更することができる。
【００１７】
つぎに、オペレーションについて説明する。
まず、図２の測定モードのパラメータ表示入力画面を呼び出して、演算式表示領域２ａに演算式名を表示させる。つづいて、画面切換ボタン２２に触れて、図４の演算式表示入力画面を表示させる。
【００１８】
前記演算式表示入力画面には、前記演算式名が演算式名表示入力エリア３２に表示されると共に、当該演算式名に対応する演算式３４が演算式表示入力エリア３０に表示される。つづいて、キーボード１７等を操作して、演算式３４の入力ないし編集を行う。このように、本分析システムでは、演算式３４を容易かつ迅速に作成ないし変更することができる。なお、新たなパラメータ名を設定した場合には、図２のパラメータ表示領域２ｃに当該パラメータ名２７および該パラメータ値ボタン２８が追加される。
【００１９】
前記入力ないし編集後、記憶ボタン３１に触れて新たな演算式３４を外部記憶装置１９に記憶させる。その際、必要であればキーボード１７等を用いて、演算式名表示入力エリア３２に表示された演算式名を変更する。前記作成ないし変更後、図２の測定モードのパラメータ表示入力画面に戻る。
【００２０】
つぎに、前記演算式３４に間違いがないか否かの確認を行う必要があるため、前記確認モードにモードを変更して、演算式３４のチェックを行う。確認モードとは、演算式３４の作成や変更を行った場合に、当該演算式３４が間違ってないか否かの確認を行うためのモードである。
【００２１】
確認モードに設定するには、まず、各々のモード表示ボタン２１に触れて、測定モードを示す「ｍｅａｓ」の表示から、図３の確認モードを示す「ｓｅｔ  」の表示に切り換える。つぎに、前記測定値ボタン２６に触れた後、新たな演算式３４（図４）に用いる測定値を、それぞれ理想の空燃比になる所定の値に、キーボード１７等を操作して設定し、測定値設定ボタン２６に表示させる。ＣＰＵ１３は、測定値ボタン２６の表示値を測定値として扱って演算を行い、空燃比２３およびラムダ値２４を算出して表示させる。当該空燃比の値ないしラムダ値の値を確認することで、演算式３４の妥当性をある程度予測することができ、したがって、演算式３４に間違いがないか否かの確認を容易に行うことができる。
【００２２】
つぎに、測定を行う場合のオペレーションについて説明する。
まず、図２の測定モードのパラメータ表示入力画面を呼び出して、演算式表示領域２ａに分析に用いる演算式の演算式名を表示させる。つぎに、パラメータの確認を行い、燃料の種類を変更してパラメータ値の変更が必要な場合には、前記キーボード１７等を操作して当該パラメータ値ボタン２８に表示されたパラメータ値を変更する。このように、パラメータの値を容易に変更することができるので、燃料の種類を変更した場合にも容易に対応することができる。
【００２３】
その後、測定を行うと、図５に示すように、実行中の測定画面が表示され、測定値名表示領域４０および測定値表示領域４１にそれぞれ測定値名および測定値が表示されると共に、空燃比表示領域４２およびラムダ値表示領域４３にそれぞれ空燃比およびラムダ値が表示される。
【００２４】
なお、本発明は排ガスの分析を行うシステム全てに適用されるものであり、自動車の排ガスの分析システムのみに限定されるものではない。また、図２の前記画面切換ボタン２２に触れて演算式表示入力画面を表示させる際に、パスワードの入力画面を表示させて、パスワードの入力を行わせるようにすれば、不用意な演算式の変更を防止することができる。
【００２５】
【発明の効果】
以上説明したように、本発明によれば、パソコンにプログラミング言語ではない、一般的な演算式を表示させると共に、該演算式とパラメータの値とを変更可能としたため、容易かつ迅速にユーザー自身が演算式等を変更することができる。一方、メーカーは演算プログラムやＲＯＭを作成する必要がないので経済的である。
【００２６】
また、測定値を設定して演算を行う確認モードを設ければ、既知の測定値を設定して演算を行うことにより、変更後の演算式やパラメータの値に間違いがないか否かの確認を容易に行うことができる。
【図面の簡単な説明】
【図１】本発明の一実施形態にかかる分析システムを示す概略構成図である。
【図２】測定モードのパラメータ表示入力画面を示す平面図である。
【図３】確認モードのパラメータ表示入力画面を示す平面図である。
【図４】演算式表示入力画面を示す平面図である。
【図５】測定中の測定画面を示す平面図である。
【符号の説明】
１：測定器
１１：パソコン
１２：マイコン
１６：タッチスクリーン（表示装置）、（入力操作装置）
１７：キーボード（入力操作装置）
【図１】
0003623647.tif 000002
【図２】
0003623647.tif 000003
【図３】
0003623647.tif 000004
【図４】
0003623647.tif 000005
【図５】
0003623647.tif 000006